(57)【要約】【課題】  帯鋸刃の走行方向に振動を付与してワークの切断加工を行う切断加工方法及び帯鋸盤を提供する。【解決手段】  駆動ホイール２９と従動ホイール３１とに掛回したエンドレス状の帯鋸刃１３によってワークＷの切断加工を行う時に、帯鋸刃１３に外力を付与して帯鋸刃１３の走行方向に瞬間的に増速又は減速する振動を付与してワークの切断を行う切断加工方法であり、帯鋸盤は、ワークＷの切断加工時に、駆動ホイール２９に対して接近離反する方向へ従動ホイール３１を相対的に往復動するための往復作動手段を備え、または、帯鋸刃１３によるワークＷの切断加工時に、帯鋸刃１３に伸縮動作を付与する伸縮動作付与手段を備え、又は、帯鋸刃１３によるワークＷの切断加工時に、帯鋸刃１３の走行方向に振動を付与するために、帯鋸刃１３を挟持して帯鋸刃の走行速度を瞬間的に減速又は増速するための速度変換手段を備えた構成である。【選択図】  図１
2005081450.tif 000002
【特許請求の範囲】
【請求項１】
駆動ホイールと従動ホイールとに掛回したエンドレス状の帯鋸刃によってワークの切断加工を行う切断加工方法において、前記帯鋸刃によるワークの切断時に、前記帯鋸刃に外力を付与して帯鋸刃の走行方向に瞬間的に増速又は減速する振動を付与することを特徴とする帯鋸盤によるワークの切断加工方法。
【請求項２】
駆動ホイールと従動ホイールとにエンドレス状の帯鋸刃を掛回した構成の帯鋸盤において、前記帯鋸刃によるワークの切断加工時に、帯鋸刃の走行方向に振動を付与するために前記駆動ホイールに対して接近離反する方向へ前記従動ホイールを相対的に往復動するための往復作動手段を備えていることを特徴とする帯鋸盤。
【請求項３】
駆動ホイールと従動ホイールとにエンドレス状の帯鋸刃を掛回した構成の帯鋸盤において、前記帯鋸刃によるワークの切断加工時に、帯鋸刃の走行方向に振動を付与するために前記帯鋸刃に伸縮動作を付与する伸縮動作付与手段を備えていることを特徴とする帯鋸盤。
【請求項４】
駆動ホイールと従動ホイールとにエンドレス状の帯鋸刃を掛回した構成の帯鋸盤において、前記帯鋸刃によるワークの切断加工時に、前記帯鋸刃の走行方向に振動を付与するために、前記帯鋸刃を挟持して帯鋸刃の走行速度を瞬間的に減速又は増速するための速度変換手段を備えていることを特徴とする帯鋸盤。
【発明の詳細な説明】
【技術分野】
【０００１】
本発明は、帯鋸盤によるワークの切断加工方法及びその切断加工方法に使用する帯鋸盤に係り、さらに詳細には、エンドレス状の帯鋸刃の走行方向（切削主分力方向）に振動を与えてワークの切断加工を行う切断加工方法及びその帯鋸盤に関する。
【背景技術】
【０００２】
帯鋸盤には竪型帯鋸盤と横型帯鋸盤とがあるが、理解を容易にするために、横型帯鋸盤を例示して全体的構成について概略的に説明する。図２に示すように、横型帯鋸盤１は、ベース３を備えており、このベース３上には切断すべきワークＷを固定自在のバイス装置５が装着してある。このバイス装置５は、ワークＷを支持するバイスベッド７上に固定バイスジョー９Ａと可動バイスジョー９Ｂとを対向して備えた構成であって、前記可動バイスジョー９Ｂを作動するための油圧シリンダ１１を備えている。そして、前記ベース３上には、前記ワークＷを切断するためのエンドレス状の帯鋸刃１３を備えた鋸刃ハウジング１５が上下動自在に設けられている。
【０００３】
すなわち、この例においては、前記ベース３上に立設したガイドポスト１７に、前記鋸刃ハウジング１５に一体的に備えた昇降部材１９が上下動自在に案内されている。そして、前記鋸刃ハウジング１５を上下動するために、昇降用油圧シリンダ２１が設けられている。さらに、従来の横型帯鋸盤１には、ワークＷに対する帯鋸刃１３の切込み位置を検出するために、前記鋸刃ハウジング１５の上下動位置を検出してワークＷに対する帯鋸刃１３の切込み位置を検出するための切込み位置検出装置２３が設けられている。
【０００４】
上記切込み位置検出装置２３は、例えばガイドポスト１７に設けた上下方向のリニアスケースと検出ヘッドの構成や、ラックに噛合したピニオンによってロータリーエンコーダを回転する構成等とすることができ、鋸刃ハウジング１５が上下方向に揺動する形式においては鋸刃ハウジングのヒンジ部にロータリーエンコーダを設ける構成とすることができるものであり、種々の構成が採用されている。
【０００５】
前記鋸刃ハウジング１５は左右方向に長いビーム部材２５の左右両側部にホイールハウジング２７Ａ，２７Ｂを備えた構成であって、一方のホイールハウジング２７Ａ内には駆動ホイール２９を回転自在に備え、他方のホイールハウジング２７Ｂ内には従動ホイール３１を回動自在に備えた構成である。そして、前記駆動ホイール２９と従動ホイール３１とにエンドレス状の前記帯鋸刃１３を掛回した構成であって、前記ホイールハウジング２７Ａ，２７Ｂの間には、帯鋸刃１３における歯先をワークＷの方向に指向して帯鋸刃１３を案内保持する帯鋸刃案内装置３３が設けられている。
【０００６】
上述したごとき横型帯鋸盤１の構成は公知であるので、前記構成による作用の説明は省略する。
【０００７】
前述のごとき構成において、前記駆動ホイール２９を回転駆動するためのモータは前記ホイールハウジング２７Ａの背部に装着してあり、このモータの出力軸と前記駆動ホイール２９の回転軸２９Ａとの間には、例えば遊星歯車機構又はウォームギア機構よりなる減速機構を備えた構成である（例えば特許文献１参照）。
【０００８】
そして、従来は、切削率（単位時間当りの切削面積）を一定に保持してワークの切断を行うべく、ワークの切削長に対応してワークに対する帯鋸刃の切込み速度を制御したり、ワークの切断加工中の共振等による騒音を低減するために帯鋸刃の走行速度をインバータにより周期的に制御することも行われている（例えば特許文献２参照）。
【特許文献１】特開平１１−１０４９１５号公報
【特許文献２】特開平８−１９７３３０号公報
【発明の開示】
【発明が解決しようとする課題】
【０００９】
従来、帯鋸刃の走行速度をインバータによって制御する場合、ワークの切削条件に対応して走行速度を制御することが一般的であって、帯鋸刃の走行速度を瞬間的に増速又は減速して、帯鋸刃の走行速度を振動的に制御することは行われていない。すなわち、従来は、帯鋸刃を走行方向に振動しての振動切削が行われていない。
【課題を解決するための手段】
【００１０】
本発明は、前述のごとき従来の問題に鑑みてなされたもので、本発明は、駆動ホイールと従動ホイールとに掛回したエンドレス状の帯鋸刃によってワークの切断加工を行う切断加工方法において、前記帯鋸刃によるワークの切断時に、前記帯鋸刃に外力を付与して帯鋸刃の走行方向に瞬間的に増速又は減速する振動を付与することを特徴とする帯鋸盤によるワークの切断加工方法である。
【００１１】
また、本発明は、駆動ホイールと従動ホイールとにエンドレス状の帯鋸刃を掛回した構成の帯鋸盤において、前記帯鋸刃によるワークの切断加工時に、帯鋸刃の走行方向に振動を与えるために前記駆動ホイールに対して接近離反する方向へ前記従動ホイールを相対的に往復動するための往復作動手段を備えている構成である。
【００１２】
また、本発明は、駆動ホイールと従動ホイールとにエンドレス状の帯鋸刃を掛回した構成の帯鋸盤において、前記帯鋸刃によるワークの切断加工時に、帯鋸刃の走行方向に振動を与えるために前記帯鋸刃に伸縮動作を付与する伸縮動作付与手段を備えている構成である。
【００１３】
また、本発明は、駆動ホイールと従動ホイールとにエンドレス状の帯鋸刃を掛回した構成の帯鋸盤において、前記帯鋸刃によるワークの切断加工時に、前記帯鋸刃の走行方向に振動を付与するために、前記帯鋸刃を挟持して帯鋸刃の走行速度を瞬間的に減速又は増速するための速度変換手段を備えている構成である。
【発明の効果】
【００１４】
本発明によれば、エンドレス状の帯鋸刃を所望の走行速度で駆動してワークの切断加工を行っているときに、前記帯鋸刃の所望の走行速度を瞬間的に増速又は減速することができ、すなわち帯鋸刃を走行方向に振動することができ、ワークの振動切削を行うことができるものである。
【発明を実施するための最良の形態】
【００１５】
駆動ホイール２９と従動ホイール３１とに掛回したエンドレス状の帯鋸刃１３に、当該帯鋸刃１３の走行方向（切削主分力方向）の振動を付与するために、図１（Ａ）に示す構成においては、従動ホイール３１を回転自在に支持した支持ブロック３５を、前記駆動ホイール２９に対して接近離反する方向へ往復作動するための往復作動手段３７を備えている。上記往復作動手段３７として、本例においては、前記帯鋸刃１３に張力を付与するための流体圧シリンダにて例示してある。そして、前記流体圧シリンダの動作を制御するために、例えば方向切換弁などのごとき適宜の動作制御手段３９が備えられている。
【００１６】
したがって、駆動ホイール２９を回転し、帯鋸刃１３を走行駆動してワークＷの切断を行っているときに、動作制御手段３９の制御の下に往復作動手段３９を瞬間的に急激に僅かに往動すると共に瞬間的に僅かに復動すると、帯鋸刃１３に延伸作用と収縮作用とが瞬間的に急激に付与されることになる。すなわち、支持ブロック３５が駆動ホイール２９から離れる方向へ瞬間的に急速に僅かに移動されると、帯鋸刃１３に延伸作用が付与される。そして、前記支持ブロック３５が駆動ホイール２９へ接近する方向へ瞬間的に急速に僅かに移動されると、帯鋸刃１３に収縮作用が付与されることになる。
【００１７】
前述のように、帯鋸刃１３が所望の走行速度で駆動されてワークＷの切断加工を行っているときに、駆動ホイール２９に対して従動ホイール３１を離反する方向へ移動して、帯鋸刃１３を瞬間的に急速に（急激に）延伸すると、帯鋸刃１３のワークＷに作用している部分は帯鋸刃１３の走行方向に対して逆方向へ瞬間的に急速に引かれる態様となり、帯鋸刃１３のワークＷに作用している部分は、走行速度が瞬間的に急激に減速される態様となるものである。
【００１８】
次に、駆動ホイール２９に対して従動ホイール３１を接近する方向へ移動して帯鋸刃１３を瞬間的に急速に収縮すると、帯鋸刃１３のワークＷに作用している部分は帯鋸刃１３の走行方向と同方向へ瞬間的に急激に移動される態様となり、帯鋸刃１３のワークＷに作用している部分は帯鋸刃１３の走行方向への走行速度が瞬間的に急激に増速される態様となるものである。
【００１９】
したがって、前記往復作動手段３７によって従動ホイール３１を駆動ホイール２９から瞬間的に急激に離反する動作と接近する動作とを繰り返し行って、帯鋸刃１３を瞬間的に急速に延伸することと収縮することとを繰り返すことにより、帯鋸刃１３の走行方向（切削主分力方向）に振動を付与することができるものである。よって、所望の速度で走行している帯鋸刃１３に走行方向の振動を付与してワークＷの切断加工を行うことができるものである。
【００２０】
なお、前記支持ブロック３５を駆動ホイール２９に対して接近離反する方向へ往復動する構成としては、前述したごとき流体圧シリンダに限ることなく、例えば前記支持ブロック３５に備えたナット部材に螺合した螺子部材を、サーボモータ等により正逆回転することによって前記支持ブロック３５を往復動する構成や、適宜モータによって回転されるカム機構を利用して前記支持ブロック３５を、駆動ホイール２９に対して接近離反する方向へ往復動する構成など、種々の構成を採用することができるものである。
【００２１】
既に理解されるように、駆動ホイール２９と従動ホイール３１とに掛回した帯鋸刃１３に瞬間的に急激に延伸し、収縮することにより、帯鋸刃１３の走行方向に振動を付与することができるものである。したがって、図１（Ｂ）においては、駆動ホイール２９と従動ホイール３１とに掛回した帯鋸刃１３に伸縮動作を付与するための伸縮動作付与手段を備えたものである。すなわち、帯鋸刃１３の適宜位置において、当該帯鋸刃１３の胴部に、モータ等のごときアクチュエータ４１によって回転される偏心ローラ４３を当接した構成である。
【００２２】
上記構成によれば、アクチュエータ４１によって偏心ローラ４３を回転すると、帯鋸刃１３は偏心ローラ４３によって押圧されることにより延伸作用を受け、前記偏心ローラ４３による押圧を解除すると、延伸された状態にある帯鋸刃１３は収縮されることになる。したがって、前述同様に、帯鋸刃１３に走行方向の振動を付与することができ、前述同様の効果を奏し得るものである。
【００２３】
図１（Ｃ）に示す構成は、駆動ホイール２９と従動ホイール３１に掛回した帯鋸刃１３に、当該帯鋸刃１３の走行方向に振動を付与するために、前記帯鋸刃１３を挟持して帯鋸刃１３の走行速度を瞬間的に減速又は増速するための速度変換手段を備えた構成である。すなわち、図１（Ｃ）に示す構成においては、アクチュエータ４５によって回転される駆動ローラ４７と従動ローラ４９とを備えた構成のピンチローラによって帯鋸刃１３を挟持する構成である。
【００２４】
上記構成においては、前記駆動ローラ４７，従動ローラ４９によって帯鋸刃１３を挟持して、所望の走行速度で走行している帯鋸刃１３に対して瞬間的に急速に減速（ブレーキをかける）し又は増速することにより、帯鋸刃１３の走行方向に振動を付与することができるものである。
【００２５】
以上のごとき説明より理解されるように、帯鋸盤において、帯鋸刃の走行方向（切削主分力方向）に振動を付与することができ、ワークＷの切断加工時には振動切削を行うことができるものである。したがって、帯鋸刃がワークとこすれて騒音を発生することが抑制できると共に、ワークに対する帯鋸刃の切込みを効果的に行うことができ、加工硬化を生じ易いワークの場合であっても切断加工を効果的に行うことができるものである。
【図面の簡単な説明】
【００２６】
【図１】本発明の実施形態に係る構成を概略的，概念的に示した帯鋸盤の説明図である。
【図２】横型帯鋸盤の一般的構成を示す説明図である。
【符号の説明】
【００２７】
１  横型帯鋸盤
１３  帯鋸刃
２９  駆動ホイール
３１  従動ホイール
３５  支持ブロック
３７  往復作動手段
３９  動作制御手段
４１  アクチュエータ
４３  偏心ローラ
４５  アクチュエータ
４７  駆動ローラ
４９  従動ローラ
【図１】
2005081450.tif 000003
【図２】
2005081450.tif 000004